(57)【要約】【課題】  本発明は現場に応じ適切に対応できる雑草侵入抑止具を提供する。【解決手段】  本発明に係る雑草侵入抑止具１は、雑草の侵入を抑止する網材２と、該網材２を支持する複数の支持材３とから成り、該支持材３は下部にアンカー部４を備えると共に、上部に上記網材２を支持しつつ該網材２を付形する付形部５を備える構成を有し、簡易構造ながら現場に応じて上記網材２を自由に付形しつつ自由にレイアウトすることができ、有効に雑草の侵入を抑止することができる。【選択図】  図２
2017203272.tif 000002
【特許請求の範囲】
【請求項１】
雑草の侵入を抑止する網材と、該網材を支持する複数の支持材とから成り、該支持材は下部にアンカー部を備えると共に、上部に上記網材を支持しつつ該網材を付形する付形部を備えることを特徴とする雑草侵入抑止具。
【請求項２】
上記支持材の付形部は垂直方向に延びる帯状を呈し、長手方向に沿って複数個所に肉抜き部を備えることにより容易に変形可能な構造としたことを特徴とする請求項１記載の雑草侵入抑止具。
【請求項３】
上記支持材の付形部は左右端部にそれぞれ折曲片部を備え、該折曲片部に長手方向に沿って複数の切欠き部を備えたことを特徴とする請求項２記載の雑草侵入抑止具。
【請求項４】
上記支持材のアンカー部は垂直方向に突出し地盤内に埋設される埋設部と水平方向に突出しアンカーピン挿入孔を有する張出部とを備え、上記支持材が複数個所で地盤に固定されることを特徴とする請求項１乃至請求項３の何れかに記載の雑草侵入抑止具。
【請求項５】
上記網材の下端部を上記アンカー部の張出部上に載置し固定したことを特徴とする請求項４記載の雑草侵入抑止具。
【請求項６】
上記網材は金属製又は合成樹脂製又はゴム製の条材で構成することを特徴とする請求項１乃至請求項５の何れかに記載の雑草侵入抑止具。
【請求項７】
上記支持材は金属製又は合成樹脂製であることを特徴とする請求項１乃至請求項６の何れかに記載の雑草侵入抑止具。
【請求項８】
上記網材に植物忌避剤を付着したことを特徴とする請求項１乃至請求項７の何れかに記載の雑草侵入抑止具。
【発明の詳細な説明】
【技術分野】
【０００１】
本発明は、駐車場や道路、ブロックを敷き詰めた法面等の雑草防除域内に対して、当該域外で繁茂した雑草が侵入するのを抑止する雑草侵入抑止具に関するものである。
【背景技術】
【０００２】
ある区域に雑草防除を施しても、その雑草防除域の周りで繁茂した雑草が当該雑草防除域内に侵入してくる場合がある。従来、このような雑草の侵入を抑止する器具として、下記特許文献１に示す防草フェンスが既知である。
【０００３】
当該防草フェンスは、雑草防除域と非雑草防除域間に立設した防草面部と、該防草面部の上部から非雑草防除域側に向けて斜めに延出した反り返し部を有し、上記防草面部にて雑草の侵入を抑止すると共に上記反り返し部により雑草の内、特に蔦植物を非雑草防除域へと誘導する構成となっている。
【先行技術文献】
【特許文献】
【０００４】
【特許文献１】特開２０１２−１０２４９４号公報
【発明の概要】
【発明が解決しようとする課題】
【０００５】
上記特許文献１の防草フェンスの防草面部は矩形状且つ平板状の多孔板から成っていると共に反り返し部も複数の縦パイプと複数の横パイプとを格子状に交差する状態で組み合わせて成っており、そのため、雑草防除域と非雑草防除域との境界線が直線状でない場合に適切に対応できないおそれを有している。
【０００６】
加えて反り返し部の反り返し形状（湾曲形状）を現場に応じて変更することについては想定しておらず、雑草の繁茂状態によっては有効に当該雑草の侵入を抑止できないおそれを有している。
【０００７】
また、上記特許文献１の防草フェンスは防草面部を設けさらに該防草面部の上位に反り返し部を配する構成と成っているため、大掛かりなものになる。
【課題を解決するための手段】
【０００８】
本発明は、上記従来の技術が有する問題点を有効に解決し、現場に応じ適切に対応できる雑草侵入抑止具を提供する。
【０００９】
要述すると、本発明に係る雑草侵入抑止具は、雑草の侵入を抑止する網材と、該網材を支持する複数の支持材とから成り、該支持材は下部にアンカー部を備えると共に、上部に上記網材を支持しつつ該網材を付形する付形部を備える構成を有し、簡易構造ながら現場に応じて上記網材を自由に付形しつつ自由にレイアウトすることができ、有効に雑草の侵入を抑止することができる。
【００１０】
好ましくは、上記支持材の付形部は垂直方向に延びる帯状を呈し、長手方向に沿って複数個所に肉抜き部を備えることにより容易に変形可能な構造とする。なお、本願において「変形」は「人力で行うことができる程度の変形」を意味している。
【００１１】
さらに好ましくは、上記支持材の付形部は左右端部にそれぞれ折曲片部を備え、該折曲片部に長手方向に沿って複数の切欠き部を備えることにより、上記付形部の補強を図りつつ変形を保障する。
【００１２】
また、上記アンカー部は垂直方向に突出し地盤内に埋設される埋設部と水平方向に突出しアンカーピン挿入孔を有する張出部とを備え、上記支持材が複数個所で地盤に固定される構成を有することにより、該支持材を向きや地盤形状に囚われず自由に地盤上に固定することができる。
【００１３】
好ましくは、上記網材の下端部を上記アンカー部の張出部上に載置し固定することにより、確実なる上記網材の固定と雑草侵入抑止を図る。
【００１４】
また、上記網材を金属製又は合成樹脂製又はゴム製の条材で構成することにより、耐性がありながら付形を容易とする構成とする。また、上記支持材を金属製又は合成樹脂製とすることにより、確実に上記網材を付形しつつ支持できるようにする。
【００１５】
好ましくは、上記網材に植物忌避剤を付着し、雑草の侵入をより効果的に抑止する。
【発明の効果】
【００１６】
本発明に係る雑草侵入抑止具によれば、雑草の侵入を抑止したい現場に応じて、自由に網材を付形できると共にレイアウトすることができ、適切に雑草の侵入を抑止することができる。
【図面の簡単な説明】
【００１７】
【図１】本発明に係る雑草侵入抑止具の設置状態における断面図。
【図２】本発明に係る雑草侵入抑止具の設置状態における斜視図。
【図３】本発明に係る雑草侵入抑止具の設置状態の他例を示す断面図。
【図４】実施例１における支持材の斜視図。
【図５】（Ａ）は実施例１における支持材の正面図、（Ｂ）は同背面図、（Ｃ）は同平面図、（Ｄ）は同底面図、（Ｅ）は同右側面図。
【図６】実施例１における支持材の付形部を変形した状態を示す斜視図。
【図７】（Ａ）は編成構造の網材の例を示す説明図、（Ｂ）は非編成構造の網材の例を示す説明図。
【図８】雑草防除域と非雑草防除域間の境界が曲線状の場合の設置例を示す説明図。
【図９】雑草防除域と非雑草防除域間の境界の地盤に高低差がある場合の設置例を示す説明図。
【図１０】実施例２における支持材の斜視図。
【図１１】（Ａ）は実施例２における支持材の正面図、（Ｂ）は同背面図、（Ｃ）は同平面図、（Ｄ）は同底面図、（Ｅ）は同右側面図。
【図１２】実施例２における支持材の付形部を変形した状態を示す斜視図。
【発明を実施するための形態】
【００１８】
以下、本発明を実施するための最良の形態を図１乃至図１２に基づき説明する。
【００１９】
＜基本構成＞
本発明に係る雑草侵入抑止具１は、図１，図２に示すように、基本構成として、雑草Ｗの侵入を抑止する網材２と、該網材２を支持する複数の支持材３とから成り、原則的に雑草防除域Ａと非雑草防除域Ｂ間に設置するものである。ここで、本明細書において雑草防除域Ａとは既に草刈りや防草シート等で雑草を防除してある区域をいい、駐車場や道路、ブロックを敷き詰めた法面等の本来雑草が生えるのが望ましくない区域を総称している。また、非雑草防除域Ｂとは何ら雑草の防除が行われておらず、雑草が自由に繁茂できる状態にある区域をいう。
【００２０】
本発明においては、後記するように、雑草防除域Ａと非雑草防除域Ｂ間の境界線の形状や高低差に適切に応じて地盤Ｇ上に固定できる支持材３と、該支持材３に支持されながら付形される網材２とにより、雑草Ｗの侵入経路に適切に網材２を配して雑草Ｗの侵入を抑止する。
【００２１】
また、図３に示すように、非雑草防除域Ｂに繁茂する雑草Ｗが蔦植物である場合には、例外的に、雑草防除域Ａの手前に予備の雑草防除域Ａ′を設け、該予備雑草防除域Ａ′の背後に本発明に係る雑草侵入抑止具１を配し、二段構えで雑草防除域Ａへの雑草の侵入を抑止することもできる。
【００２２】
＜実施例１＞
実施例１に係る雑草侵入抑止具１は既述した基本構成を備え、以下の具体的構成を備える。
【００２３】
まず、図３乃至図５に基づき、本実施例における支持材３について説明する。支持材３は下部に当該支持材３を地盤Ｇ上に固定するアンカー部４を備えると共に、上部に網材２を支持しつつ該網材２を付形する付形部５を備える構成を有する。該支持材３は、好ましくは金属製として、確実に網材２を付形しつつ固定できるようにする。但し、本発明にあっては、支持材３は金属製に限らず、実施に応じ、合成樹脂製とすることも任意である。
【００２４】
支持材３下部のアンカー部４は、垂直方向に下向きに突出し地盤Ｇ内に埋設される帯状の埋設部４ａと、水平方向に突出しアンカーピン挿入孔４ｃを有する張出部４ｂとを備え、地盤Ｇ内へ埋設した埋設部４ａと、アンカーピン挿入孔４ｃを通じ地盤Ｇ内へ埋設したアンカーピン６により複数箇所にて支持材３を地盤Ｇ上に固定することができる。なお、張出部４ｂは単一とするか、図示するように二つ設ける他、三つ以上設けても良い。張出部４ｂを複数設ける場合には、支持材３を埋設部４ａを中心として任意の向きに調整して固定することができる。
【００２５】
また、本実施例にあっては、アンカー部４の張出部４ｂをＬ字状のアングル材の一片で形成し、他片を後記する付形部５の帯状基部５ａの下端部を補強する補強部４ｄとすることができる。すなわち、図示するように、張出部４ｂを二つ設ける場合には付形部５の帯状基部５ａの下端部両側をＬ字状アングル材で挾持し、各Ｌ字状アングル材の一片を張出部４ｂとし他片を補強部４ｄとすることができる。
【００２６】
支持材３上部の付形部５は垂直方向に延びる帯状を呈する。詳述すると、垂直方向に上向きに突出し帯状を呈する帯状基部５ａと、該帯状基部５ａに同帯状基部５ａの長手方向に沿って間隔を置いて複数箇所に穿設された長孔状肉抜き部５ｂと、同様に帯状基部５ａの長手方向に沿って間隔を置いて複数箇所に穿設された丸孔状肉抜き部５ｃとを備えている。該丸孔状肉抜き部５ｃは、網材２を固定する結束バンドや針金等の固定用線材７を挿通する固定用孔としても機能する。また、長孔状肉抜き部５ｂは、好ましくは帯状基部５ａの長手方向に沿う長孔形状（長楕円形状又は長方形状等）にし、丸孔状肉抜き部５ｃと共働して帯状基部５ａに可撓性を付与し、もって付形部５を容易に変形可能な構造とする。なお、本願において「可撓性」とは「人力で曲げられる程度の硬さの可撓性」を意味している。
【００２７】
帯状基部５ａは搬送時や搬入時等の現場での作業前は、図４に示すように、平帯状を呈しており、複数の支持材３を重畳して搬送や搬入等を行えるようになっている。他方、現場に応じて網材２を付形する際には、図６に示すように、長孔状肉抜き部５ｂ及び丸孔状肉抜き部５ｃにより容易に変形できるようになっている。したがって、現場に応じ自由に人力で変形することができ、例えば湾曲させる際においても、その湾曲の曲率半径の調整や部分的に湾曲させることができる。なお、本実施例においては、付形部５はアンカー部４の埋設部４ａと一体に形成し部品点数を削減しつつ確実に地盤Ｇに固定できるようにするのが望ましい。
【００２８】
上記のとおり、本実施例に係る支持材３は帯状基部５ａによって可及的に広面積で網材２に接することができ、該網材２を確実に固定することができる。また、帯状基部５ａを複数の肉抜き部（長孔状肉抜き部５ｂ，丸孔状肉抜き部５ｃ）で可撓性を有する構造とし、もって付形部５を容易に変形可能な構造とすることにより、網材２を自由に付形することができる。
【００２９】
次いで図７に基づき網材２について説明する。本発明における網材２は、図７（Ａ）に示すように、横条材２ａと縦条材２ｂを格子状に編成した構造を有するもの、又は図７（Ｂ）に示すように、横条材２ａと縦条材２ｂとを格子状に結着した構造を有するものの双方を含む。すなわち、本発明における網材２は横条材２ａと縦条材２ｂとを組み合わせた開口２ｃを有する構造であればよく、当該構造により支持材３による付形を容易にすると共に通風性と通水性を確保する。また、網材２を構成する各条材２ａ・２ｂは金属製又は合成樹脂製又はゴム製であることが好ましく、このような条材により構成することにより耐性の向上を図る。
【００３０】
また、網材２の横条材２ａ又は／及び縦条材２ｂに植物忌避剤、例えば銅化合物を含有する薬剤等をスプレー又は刷毛等により付着させ、雑草の侵入をより効果的に抑止することができる。
【００３１】
而して、既述した、雑草Ｗの侵入を抑止する網材２と該網材２を地盤Ｇ上に支持する複数の支持材３とから成る本発明に係る雑草侵入抑止具１においては、図１，図２に示すように、支持材３により網材２を付形しながら支持し、該支持材３を地盤Ｇ上に固定することにより設置する。
【００３２】
詳述すると、図１に示すように、本発明に係る雑草侵入抑止具１における支持材３の付形部５に網材２を固定用線材７を介して固定し、該付形部５を非雑草防除域Ｂ側に覆いかぶさるように湾曲（変形）させ、網材２を支持材３で支持する状態を得て、雑草防除域Ａと非雑草防除域Ｂ間の地盤Ｇに支持材３のアンカー部４を固定する。つまりアンカー部４の埋設部４ａを地盤Ｇ内に埋設すると共に、張出部４ｂのアンカーピン挿入孔４ｃを通じてアンカーピン６の軸部を地盤Ｇ内に埋設してアンカー部４を複数箇所で固定する。
【００３３】
この際に、網材２の下端部をアンカー部４の張出部４ｂ上に載置しアンカーピン６にて固定することが望ましい。これにより、確実なる網材２の固定と雑草侵入抑止を図る。
【００３４】
本実施例においては、支持材３の付形部５の全体を弧状に湾曲させる変形態様を示しているが、本発明においてはこれに限らず、付形部５の先端部だけを弧状に湾曲させる変形態様、付形部５の基端部だけを湾曲させる変形態様、付形部５の全体をくの字に変形させる変形態様等、現場の雑草Ｗの繁茂状態や地形に合わせて自由に付形部５の変形態様を調節することができる。また、湾曲の曲率半径も自由に設定することができる。
【００３５】
また、図８に示すように、本発明に係る雑草侵入抑止具１は、雑草防除域Ａと非雑草防除域Ｂ間の境界線が曲線状の場合でも適切に対応できる。すなわち、個々の支持材３のアンカー部４の埋設部４ａを中心に自由に各支持材３の向きを調整して配置できるため、各支持材３の向きや配置に応じて、網材２を自由に付形できると共に自由にレイアウトすることができ、もって雑草Ｗの侵入を適切に抑止することができる。
【００３６】
また、図９に示すように、本発明に係る雑草侵入抑止具１は、雑草防除域Ａと非雑草防除域Ｂ間の境界の地盤Ｇに高低差がある場合でも適切に対応できる。すなわち、傾斜面であっても個々の支持材３のアンカー部４の埋設部４ａ及びアンカーピン６を介して複数箇所で確実に各支持材３を地盤Ｇ上に固定することができると共に、各支持材３の付形部５の帯状基部５ａ下端部をアンカー部４の補強部４ｄが両側から補強する。これにより、地盤Ｇに高低差があっても、網材２を自由に付形しつつ自由にレイアウトすることができ、雑草Ｗの侵入を抑止することができる。
【００３７】
＜実施例２＞
実施例２に係る雑草侵入抑止具１は既述した基本構成を備え、以下の具体的構成を備える。
【００３８】
まず、図１０乃至図１２に基づき、本実施例における支持材３について説明する。本実施例における支持材３も、実施例１と同様に、下部に当該支持材３を地盤Ｇ上に固定するアンカー部４を備えると共に、上部に網材２を支持しつつ該網材２を付形する付形部５を備える構成を有する。本実施例においても、支持材３は金属製でも合成樹脂製でも良く、確実に網材２を付形しつつ固定できる観点からは金属製であることが望ましい。
【００３９】
支持材３下部のアンカー部４は、垂直方向に下向きに突出し地盤Ｇ内に埋設される三角板状の埋設部４ａと、水平方向に突出しアンカーピン挿入孔４ｃを有する矩形板状の張出部４ｂとを備え、実施例１と同様に地盤Ｇ内へ埋設した埋設部４ａと、アンカーピン挿入孔４ｃを通じ地盤Ｇ内へ埋設したアンカーピン６により複数箇所にて支持材３を地盤Ｇ上に固定することができる。
【００４０】
また、本実施例にあっては、埋設部４ａと面一に上方に延びる台形板状の補強部４ｄを備え、該補強部４ｄにて後記する付形部５の帯状基部５ａの下端部を補強する。なお、図中の４ｅは後記する付形部５の折曲片部５ｅと繋がる折曲片部、４ｆは折曲部である。
【００４１】
支持材３上部の付形部５は垂直方向に延びる帯状を呈し、垂直方向に上向きに突出し帯状を呈する帯状基部５ａと、該帯状基部５ａに同帯状基部５ａの長手方向に沿って間隔を置いて複数箇所に穿設された丸孔状肉抜き部５ｃとを備える点において、既述の実施例１の支持材３と共通するが、異なる点は、帯状基部５ａの左右端部（付形部５の左右端部）に折曲部５ｄを介して折曲して形成された折曲片部５ｅをそれぞれ備える点にある。
【００４２】
詳述すると、本実施例においては、付形部５の帯状基部５ａの左右端部に折曲部５ｄを介して折曲して形成された折曲片部５ｅをそれぞれ備え、該折曲片部５ｅに長手方向に沿って間隔を置いて複数の切欠き部５ｆを備える。なお、上記折曲の方向は左端部及び右端部で同一とし、上記折曲の角度も左端部及び右端部で同一とすることが望ましい。左右対称の形状とすることにより付形部５の補強を確実ならしめるためである。また、本実施例においては、図１１に示すように、正面側に折曲して折曲片部５ｅを形成しているが、背面側に折曲して折曲片部５ｅを形成することができるのは勿論である。
【００４３】
よって、本実施例における支持材３の付形部５は、折曲片部５ｅにより補強を図りつつ、該折曲片部５ｅに形成された切欠き部５ｆにより帯状基部５ａ（付形部５）の変形を保障する。また、丸孔状肉抜き部５ｃと切欠き部５ｆとが共働して帯状基部５ａに可撓性を付与し、もって付形部５を容易に変形可能な構造とする。なお、本実施例においても、丸孔状肉抜き部５ｃは、網材２を固定する固定用線材７を挿通する固定用孔としても機能する。
【００４４】
また、本実施例においては、丸孔状肉抜き部５ｃと折曲部５ｄを同一線上に配する構成とすることが望ましい。折曲片部５ｅ形成時の折曲の容易化と後記する帯状基部５ａの変形の容易化の両立を図るためである。
【００４５】
帯状基部５ａは搬送時や搬入時等の現場での作業前は、図１０に示すように、平帯状を呈しており、それに伴い左右端部の折曲片部５ｅも直線状となっており、複数の支持材３を重畳して搬送や搬入等を行えるようになっている。他方、現場に応じて網材２を付形する際には、図１２に示すように、丸孔状肉抜き部５ｃ及び切欠き部５ｆの協働により帯状基部５ａ及びその左右端部の各折曲片部５ｅが容易に変形できるようになっている。したがって、帯状基部５ａを折曲片部５ｅにより補強を図りつつ現場に応じ自由に変形することができ、野良猫等の小動物により思わぬ変形が生ずるようなことはない。なお、折曲片部５ｅは現場で形成しても良い。
【００４６】
また、本実施例における支持材３は、一枚の板材から製造できる点においても、実施例１と異なる。すなわち、まずアンカー部４の張出部４ｂ、補強部４ｄ及び折曲片部４ｅ並びに付形部５の帯状基部５ａ及び折曲片部５ｅの各外縁を一連にした外縁を有する板材を用意する。次いで、張出部４ｂとなる部位の中央に埋設部４ａの外縁形状に切り込みを入れると共に折曲部４ｆとなる部位に必要に応じ溝を刻設し、帯状基部５ａとなる部位に丸孔状肉抜き部５ｃ及び切欠き５ｆを穿設すると共に折曲部５ｄとなる部位に必要に応じ溝を刻設する。あとは張出部４ｂとなる部位を起曲することにより張出部４ｂと埋設部４ａとを同時に形成する共に、折曲部４ｆ・５ｄにより折曲片部４ｅ・５ｅを形成することにより容易に支持材３を製造できる。
【００４７】
上記のとおり、本実施例に係る支持材３は帯状基部５を複数の肉抜き部（丸孔状肉抜き部５ｃ）で可撓性を有する構造とし、もって付形部５を容易に変形可能な構造とすることにより、網材２を自由に付形することができる。加えて折曲片部５ｅにより付形部５を補強する。
【００４８】
また、本実施例における網材２の構成及び網材２に植物忌避剤を付着する構成は、既述の実施例１と同様であるので、ここでは説明を割愛する。
【００４９】
また、本実施例における支持材３の付形部５は、実施例１の付形部５とは折曲片部５ｅの有無により相違するが、網材２の支持構成については実施例１と同様であるので、図１乃至図３に基づく実施例１の説明を援用する。加えて、本実施例の支持材３のアンカー部４による地盤Ｇへの固定構成も実施例１と同様であるので、図１乃至図３及び図８，図９に基づく実施例１の説明を援用する。
【００５０】
以上のとおり、本発明に係る雑草侵入抑止具１にあっては、雑草防除域Ａと非雑草防除域Ｂ間の境界線の形状や当該境界の地盤Ｇの地形に適切に対応して自由に支持材３を配置できると共に確実に固定することができる。また、このように適切且つ確実に地盤Ｇ上に固定された支持材３により網材２を支持すると共に該支持材３の付形部５により自由に網材２を付形することができる。したがって、雑草Ｗの雑草防除域Ａへの侵入を有効に抑止することができる。
【符号の説明】
【００５１】
１…雑草侵入抑止具、２…網材、２ａ…横条材、２ｂ…縦条材、２ｃ…開口、３…支持材、４…アンカー部、４ａ…埋設部、４ｂ…張出部、４ｃ…アンカーピン挿入孔、４ｄ…補強部、４ｅ…折曲片部、４ｆ…折曲部、５…付形部、５ａ…帯状基部、５ｂ…長孔状肉抜き部、５ｃ…丸孔状肉抜き部、５ｄ…折曲部、５ｅ…折曲片部、５ｆ…切欠き部、６…アンカーピン、７…固定用線材、Ｗ…雑草、Ｇ…地盤、Ａ…雑草防除域、Ｂ…非雑草防除域、Ａ′…予備雑草防除域。
【図１】
2017203272.tif 000003
【図２】
2017203272.tif 000004
【図３】
2017203272.tif 000005
【図４】
2017203272.tif 000006
【図５】
2017203272.tif 000007
【図６】
2017203272.tif 000008
【図７】
2017203272.tif 000009
【図８】
2017203272.tif 000010
【図９】
2017203272.tif 000011
【図１０】
2017203272.tif 000012
【図１１】
2017203272.tif 000013
【図１２】
2017203272.tif 000014
【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
雑草の侵入を抑止する網材と、該網材を支持する複数の支持材とから成り、該支持材は下部にアンカー部を備えると共に、上部に上記網材を支持しつつ該網材を付形する付形部を備え、該付形部は垂直方向に延びる帯状を呈し、長手方向に沿って複数個所に肉抜き部を備えることにより容易に変形可能な構造としたことを特徴とする雑草侵入抑止具。
【請求項２】
上記支持材の付形部は左右端部にそれぞれ折曲片部を備え、該折曲片部に長手方向に沿って複数の切欠き部を備えたことを特徴とする請求項１記載の雑草侵入抑止具。
【請求項３】
上記支持材のアンカー部は垂直方向に突出し地盤内に埋設される埋設部と水平方向に突出しアンカーピン挿入孔を有する張出部とを備え、上記支持材が複数個所で地盤に固定されることを特徴とする請求項１又は請求項２に記載の雑草侵入抑止具。
【請求項４】
上記網材の下端部を上記アンカー部の張出部上に載置し固定したことを特徴とする請求項３記載の雑草侵入抑止具。
【請求項５】
上記網材は金属製又は合成樹脂製又はゴム製の条材で構成することを特徴とする請求項１乃至請求項４の何れかに記載の雑草侵入抑止具。
【請求項６】
上記支持材は金属製又は合成樹脂製であることを特徴とする請求項１乃至請求項５の何れかに記載の雑草侵入抑止具。
【請求項７】
上記網材に植物忌避剤を付着したことを特徴とする請求項１乃至請求項６の何れかに記載の雑草侵入抑止具。
【手続補正２】
【補正対象書類名】明細書
【補正対象項目名】００１０
【補正方法】変更
【補正の内容】
【００１０】
加えて、上記支持材の付形部は垂直方向に延びる帯状を呈し、長手方向に沿って複数個所に肉抜き部を備えることにより容易に変形可能な構造とする。なお、本願において「変形」は「人力で行うことができる程度の変形」を意味している。